(57)【特許請求の範囲】
【請求項１】
可変長ダブルロックシリンダの２つのシリンダハーフ（１）を連結するためのバーであって、
２つのアーム（１２，１３）を有し、これらアームはそれぞれ、前記２つのシリンダハーフ（１）の１つのハウジング（２）の凹所（６）内に挿入でき、これらアームは、固定ピンを収容するための複数の孔（Ｂｏｈｒｕｎｇ）を有し、及び、
前記アーム（１２，１３）の間に配置され、前記シリンダハーフ（１）が当たることのできる（ａｎｌｅｇｂａｒ）肥厚部を有するバーにおいて、
基本的要素である中央部（９）と、少なくとも１つの延長部（１６）を有し、前記中央部（９）と前記延長部（１６）が共に差し込み可能（ｚｕｓａｍｍｅｎｓｔｅｃｋｂａｒ）で、それぞれ連結ピン（３０）を収容するための孔（１５，２１）を有し、
前記中央部（９）が少なくとも２つの接続突起（１８）を有し、それぞれの突起が孔（１５）を持ち、
前記延長部（１６）が、孔（２１）を持つ突起部（２０）を有し、この孔は、前記延長部（１６）に前記中央部（９）を接続するために、前記接続突起（１８）の間に挿入でき、組み立てた状態では、前記接続突起（１８）の孔（１５）と前記突起部（２０）の孔（２１）が互いに位置が揃うことを特徴とするバー。
【請求項２】
前記中央部（９）の孔及び前記延長部（１６）の孔が、同じグリッドパターンに配置される、請求項１に記載のバー。
【請求項３】
前記中央部（９）が、少なくとも２つの孔をそれぞれ有する２つのアームを持つ、請求項１又は２に記載のバー。
【請求項４】
前記延長部（１６）が少なくとも２つの孔を有する、請求項１〜３のいずれかに記載のバー。
【請求項５】
請求項１〜４のいずれかに記載のバーを製造するための組立てセットであって、
複数の異なる長さの中央部（９，９’，９’’，９’’’）、及び複数の延長部（１６）、及び複数の連結ピン（３０，３１）を含む組立てセット。
【請求項６】
前記延長部（１６）に前記中央部（９）を仮接続するための接続ピンを含む、請求項５に記載の組立てセット。
【請求項７】
請求項１〜６のいずれかに記載のバーを有するダブルロックシリンダであって、
前記２つのシリンダハーフ（１）がそれぞれ、前記ハウジング（２）の下部領域に、前記バー（８）の長手方向に対し横方向に延びる、少なくとも１つの貫通孔（３６，３７）を有するダブルロックシリンダ。
【請求項８】
前記バー（８）の前記肥厚部（１０）が、ねじ（Ｓｔｕｌｐｓｃｈｒａｕｂｅ）用のねじ山つき穴（１１）を有する、請求項７に記載のダブルロックシリンダ。
【請求項９】
前記延長部（１６）が、一方の端部に凹所（２４）を、他方の端部に突起部（２０）を有し、前記突起部（２０）が前記凹所（２４）に対応して構成される、請求項７又は８に記載のダブルロックシリンダ。
【請求項１０】
少なくとも１つのシリンダハーフ（１）が２つの互いに間隔をおいた貫通孔（３６，３７）を有し、連結ピン（３０，３１）がそれぞれこれらの貫通孔（３６，３７）と前記バー（８）の位置の揃った孔を通り抜ける、請求項７〜９のいずれかに記載のダブルロックシリンダ。
【発明の詳細な説明】
【技術分野】
【０００１】
本発明は、可変長ダブルロックシリンダの２つのシリンダハーフを連結するためのバーに関し、このバーは、それぞれ２つのシリンダハーフのうちの１つのハウジングの凹所に挿入できる、固定ピンを収容するための複数の孔（Ｂｏｈｒｕｎｇ）を有する２つのアーム、及び、前記アームの間に配置され前記シリンダハーフが当たることのできる（ａｎｌｅｇｂａｒ）肥厚部を有する。
【背景技術】
【０００２】
このようなバーは古くから知られている。これらは通常、非常に強く曲げ安定のある（ｂｉｅｇｅｓｔａｂｉｌ）材料からなるため、侵入を試みても外側のシリンダハーフをはぎ取れない。可変長ダブルロックシリンダも公知である。可変長ダブルロックシリンダでは、２つのシリンダハーフをそれぞれ、延長部を用いて延長することができる。このため、このような延長部を複数有する適当な組立てセットも公知である。この場合対応して、異なる長さのバーが必要とされる。これにより、多数の部品、特に多くの異なる長さのバーに伴い在庫管理が複雑となる。
【０００３】
前記タイプのバー及び可変長ダブルロックシリンダは、特許文献１により従来技術として公知である。このバーはそれぞれの場合、アームによって、２つの貫通ピンを用いて、各シリンダハーフに連結される。バーの２つのアームはそれぞれ、これらのピンを収容するための孔を複数持っている。
【０００４】
特許文献２は、ダブルロックシリンダを組み立てるためのモジュラーシステムを開示する。ここではまた、各アーム上に複数の孔を持つバーが備わっている。ここではまた、ダブルロックシリンダの可能な長さに合わせて、多くの異なるバーが必要である。
【０００５】
特許文献３は、延長可能なロックシリンダモジュラーシステムを開示しており、シリンダハーフのハウジングは、共に差し込み可能な（ｚｕｓａｍｍｅｎｓｔｅｃｋｂａｒ）部品を有する。このモジュラーシステムは、特別なハウジング部品を必要とする。
【０００６】
さらに、ダブルロックシリンダの長さに応じて、それぞれ、端部で長さをカットできるバーも公知である。この場合の欠点は、廃棄される材料が比較的大きく、それに応じるコストである。
【先行技術文献】
【特許文献】
【０００７】
【特許文献１】ＷＯ２００４／０９９５３５
【特許文献１】ＤＥ１００６０１３０Ａ１
【特許文献１】ＤＥ１９６４６０５８Ａ１
【発明の概要】
【発明が解決しようとする課題】
【０００８】
本発明の目的は、上述の欠点を回避する前記タイプのバーを提供することである。従って、このバーは、より簡単でより費用効果の高い在庫管理を可能にし、それにもかかわらず、機能的に信頼でき、製造が簡単である。
【課題を解決するための手段】
【０００９】
一般的なタイプのバーにおいて、本目的は、基本的要素である中央部と、少なくとも１つの延長部を有し、この中央部と延長部が共に差し込み可能で、それぞれ連結ピンを収容するための孔を有することによって達成される。従って、本発明によるバーは、共に差し込み可能で、ピンを用いて互いに連結可能な部品から成る。一方の部品が中央部であり、他方の部品が延長部である。中央部は基本的要素を形成し、肥厚部を持ち、この肥厚部に好ましくはねじ穴（Ｓｔｕｌｐｓｃｈｒａｕｂｅｎｂｏｈｒｕｎｇ）が配置される。バーは、原則として、ただ、中央部又は基本的要素を含むことができる。中央部では、一方又は他方のアームを延長部の長さだけ延長することが可能である。しかしながら、中央部の両方のアームをそれぞれ、延長部の長さだけ延長することも可能である。ほとんど長さの違わない中央部と同じ長さの延長部を用いると、標準的なダブルロックシリンダはすべて組み立てることが可能であることがわかった。中央部と延長部を共に差し込み、接続ピンで互いに接続できるため、高い安定性と安全性が保証される。
【００１０】
好ましくは、バーは、２つの接続ピンを用いてそれぞれシリンダハーフに接続される。いずれの場合にも、これらのピンの1つが中央部を延長部に接続するピンであり、同時に、このピンはシリンダハーフにバーを接続する。中央部は、各アームに、少なくとも２つの孔を持つ。従って、バーはまた、この中央部だけから成り、各シリンダハーフは２つのピンでこの中央部に接続することができる。
【００１１】
本発明は、さらに、前記バーを製造するための組立てセットに関する。これは、複数の長さの異なる中央部と、複数の延長部、及び複数の接続ピンを含む。延長部は、好ましくは全て等しい長さであるが、必須ではない。中央部の孔及び接続ピン内の孔は、好ましくは同じグリッドパターンに配置される。
【００１２】
本発明の1つの改良によると、中央部を延長部に仮接続するための接続ピンを設けることが提供される。接続ピンをシリンダハーフの対応する孔に差し込むと、この仮接続ピンは押し出される。これは、組み立てを大幅に簡略化する。
【００１３】
前記タイプのバーを有するダブルロックシリンダは、２つのシリンダハーフがそれぞれ、ハウジングの下部領域に、バーの長手方向に対して横方向に延びる貫通孔を少なくとも１つ有することを特徴とする。少なくとも１つのピンが、中央部を延長部に接続する。シリンダハーフのハウジングと中央部の穴、及び延長部の孔は、好ましくは、ダブルロックシリンダにおいて、シリンダハーフがそれぞれ肥厚部の停止面に当接する（ａｎｌｉｅｇｅｎ）ように配置される。これにより、ダブルロックシリンダの安定性が高められる。
【００１４】
さらなる有利な特徴は、従属請求項、以下の説明及び図から明らかとなる。
【図面の簡単な説明】
【００１５】
【図１】図１は、バーを挿入したシリンダハーフの３次元図を概略的に示したものである。
【図２】図２は、シリンダハーフの断面図及び延長したバーの図である。
【図３ａ】図３ａは、長さの違う中央部の３次元図である。
【図３ｂ】図３ｂは、長さの違う中央部の３次元図である。
【図３ｃ】図３ｃは、長さの違う中央部の３次元図である。
【図３ｄ】図３ｄは、長さの違う中央部の３次元図である。
【図４】図４は、延長部の３次元図である。
【図５】図５は、図２の３次元図であり、シリンダハーフは断面でない。
【発明を実施するための最良の形態】
【００１６】
本発明の例示の実施形態を、図を参照し以下でより詳細に説明する。
図１〜３は、ダブルロックシリンダのシリンダハーフ１を示す。シリンダハーフ１は、バー８によって第２のシリンダハーフ（ここには図示せず）に接続される。この第２のシリンダハーフは、図１及び２のシリンダハーフ１と同じ構造であってよい。しかしながら、第２のシリンダハーフはまた、図のシリンダハーフ１とは幾分長さが異なっているか、又は異なる作動を有してもよい。
【００１７】
シリンダハーフ１は、通常、シリンダサック（Ｚｙｌｉｎｄｅｒｓａｃｋ）３を有するハウジング２を持ち、ハウジング内に回転子４が取り付けられる。回転子４は、公知の方法で、キー溝２８を有し、キー溝は前側２９で開いている。図１に見られるように、後側の端部では、回転子４がスロット５を有し、このスロットによって回転子４はロックビット（Ｓｃｈｌｉｅｓｓｂａｒｔ）（ここには図示せず）に接続可能である。
【００１８】
ハウジング２は、下部領域、特にシリンダサック３の領域に凹所６を有し、この凹所はハウジング２の後側３２で開いている。この凹所６は、構成部品（図示せず）、例えば電子部品を収容できる。前記後側２に延長部（ここには図示せず）を取り付ける。それに応じて延長部は凹所６を延長する。図２に従って、中央部９のアーム１３が凹所６に挿入される。対応して、第２のシリンダハーフには第２の、反対側のアーム１２が挿入される。この２つのアーム１２及び１３の間に、ねじ穴（Ｓｔｕｌｐｓｃｈｒａｕｂｅｎｂｏｈｒｕｎｇ）１１を有する肥厚部１０が位置する。このようなねじ穴１１を用いて、ダブルロックシリンダは、ドアロックにおいて公知の方法で留めることができる。肥厚部１０は向かい合う停止面１７を有し、停止面で、肥厚部１０はそれぞれ延長部の後側３２に当接する。従って、この延長部は、後側３２と２つの停止面１７のうちの１つとの間に位置する。こうして、図２に示されるシリンダハーフ１のこの部分が、図２の右側に示される停止面１７まで、延長部によって延長される。
【００１９】
中央部９は、各アーム１２及び１３に孔１４を有し、それぞれ最外孔１５、と上面２７を有する。孔１５はそれぞれ、２つの接続突起１８を通り抜ける。これら２つの接続突起１８の間に凹所１９が位置し、この凹所はスロットとして構成される。凹所１９は、上端、底部及び前面が開いている。しかしながら、凹所１９は他の構成であってもよい。例えば、凹所１９は、中央部９の長手方向に伸びる止まり穴として構成することもできる。
【００２０】
孔１５、及びそれぞれの場合の凹所１９は、延長部１６に中央部９を接続するのに役立つ。延長部１６は、図４によると、突起部２０を有し、この突起部は凹所１９に対応して構成される。孔２１はこの突起部２０を通り抜け、突起部２０が凹所１９に完全に挿入されると、この孔は対応する孔と位置が揃う。組み立てた状態で、延長部１６の停止面２２は、接続突起１８に当接する。前側３４についても同等で、前側は凹所１９内の面３５に当接する。
【００２１】
延長部１６は、アーム１２及び１３と同じ断面を有し、及び３つの孔２６を有する。さらに、延長部１６は、２つの接続突起２３を有し、これらの突起は実質的には接続突起１８と同じに構成される。さらに、接続突起２３の間には、凹所１９と同じ形状の凹所２４が配置される。孔２５は接続突起２３を通り抜ける。孔２１，２５及び２６のグリッドパターンは、孔１４及び１５のグリッドパターンに対応する。
【００２２】
図２のバー８’は、延長部１６の長さだけ、図１のバー８に対して延長される。延長部１６はアーム１３に取り付けられ、ピン３０を用いてアームに固定して接続される。このようにして、ピン３０は、アーム１３を延長部１６に接続する。第２のピン３１は、シリンダサック３の第２の孔３７、及び延長部１６の孔２５を通り抜ける。従って、バー８’は、ピン３０によってシリンダハーフ１に固定して接続される。ピン３１はまた、ハウジング２の孔３７に係合するため、それに対応してピン３０より長い。好ましくは、ハウジング２はさらなる孔３６を有し、この孔に、バー８の孔を同じく通り抜けるピン（図示せず）が挿入される。従って、バー８は、２つのピンでハウジング２にしっかりと固定される。このようにして、安定性を低下させることなく、対応するアーム１２又は１３の断面を小さくし、それに対応して、構成部品の収容のためのより大きな凹所６を提供することができる。
【００２３】
図３ａ〜３ｄは、長さの異なる中央部９，９’，９’’及び９’’’を示す。これらの中央部はそれぞれ、延長部なし、又は１つの延長部１６と、又は２つ又は実際には２つより多くの延長部１６と接続することができる。従って、延長部は、複数の、互いにピンで留めた延長部１６から構成することができる。バー８の構築に適切なモジュールは、図３ａ〜３ｄに示す中央部９、及び接続部１６及び対応するボルト３０及び３１を含んでもよい。同様に、仮ピン（ここには図示せず）が設けられると好ましく、このピンを用いて、延長部１６を中央部９に仮接続することができる。この仮ピンは、ピン３０が挿入されると押し出される。
【００２４】
本発明によると、比較的少ない中央部９，９’，９’’及び９’’’から、簡単な方法で、材料の無駄を少なくして、多数の異なるバーを製造することができる。中央部９’，９’’又は９’’’は、アーム１２及び１３の１つ又は両方で、２つの接続突起１８を取り外すことにより短くすることができる。例えば、一方のアームは２つの孔しか持たず、他方のアームが１３の孔を持つバーも可能である。これは、中央部の一方のアームの２つの接続突起１８を取り外して、他方のアームを２つの中央部１６で延長することによって可能となる。
【符号の説明】
【００２５】
１        シリンダハーフ
２        ハウジング
３        シリンダサック
４        回転子
５        スロット
６        凹所
７        ロックリング
８        バー
９        中央部
１０      肥厚部
１１      ねじ穴（Ｓｔｕｌｐｓｃｈｒａｕｂｅｎｂｏｈｒｕｎｇ）
１２      アーム
１３      アーム
１４      孔
１５      孔
１６      延長部
１７      停止面
１８      接続突起
１９      凹所
２０      突起部
２１      孔
２２      停止面
２３      接続突起
２４      凹所
２５      孔
２６      孔
２７      上面
２８      キー溝
２９      前側
３０      ピン
３１      ピン
３２      後側
３３      線
３４      前側
３５      面
３６      孔
３７      孔
【図１】
0005433903.tif 000002
【図２】
0005433903.tif 000003
【図３ａ】
0005433903.tif 000004
【図３ｂ】
0005433903.tif 000005
【図３ｃ】
0005433903.tif 000006
【図３ｄ】
0005433903.tif 000007
【図４】
0005433903.tif 000008
【図５】
0005433903.tif 000009